【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
局のためのワイヤレス通信の方法であって、
複数のアンテナ上で情報の第１のセットを送信するためのサイクリックシフト遅延（ＣＳＤ）値の第１のセットを決定することと、ここにおいて、情報の前記第１のセットは、レガシープリアンブルであり、前記第１のセットの前記ＣＳＤ値は、互いに異なる、
前記複数のアンテナ上で情報の第２のセットを送信するためのＣＳＤ値の第２のセットを決定することと、ここにおいて、情報の前記第２のセットは、非レガシープリアンブルであり、前記第２のセットの前記ＣＳＤ値は、互いに異なる、
ＣＳＤ値の前記第１のセットに基づいて情報の前記第１のセットを送信し、ＣＳＤ値の前記第２のセットに基づいて情報の前記第２のセットを送信することと、
を備える、方法。
【請求項２】
ＣＳＤ値の前記第１のセットを前記決定することが、
前記複数のアンテナの各アンテナのためのアンテナＣＳＤ値を決定することと、
ユーザＣＳＤオフセットを決定することと、
前記決定されたユーザＣＳＤオフセットに基づいて、前記複数のアンテナの各アンテナのための前記アンテナＣＳＤ値を変更することと、
を備える、請求項１に記載の方法。
【請求項３】
ＣＳＤ値の前記第１のセットを前記決定することが、
ストリームの割り当てられた数に基づいて、少なくとも１つの割り当てられたＣＳＤ値を決定することと、
前記決定された少なくとも１つの割り当てられたアンテナＣＳＤ値に基づいて、前記複数のアンテナの各アンテナのためのアンテナＣＳＤ値を決定することと、
を備える、請求項１に記載の方法。
【請求項４】
ＣＳＤ値の前記第２のセットを前記決定することが、
情報の前記第２のセットを送信するための複数のストリームを識別することと、
前記複数のストリームの各ストリームのためのストリームＣＳＤ値を決定することと、
を備える、請求項１に記載の方法。
【請求項５】
前記複数のアンテナ上で情報の前記第２のセットを送信するためのＣＳＤ値の第３のセットを決定することをさらに備え、
ここにおいて、情報の前記第２のセットを送信することが、ＣＳＤ値の前記第２のセットと前記第３のセットとに基づく、
請求項１に記載の方法。
【請求項６】
ＣＳＤ値の前記第３のセットを前記決定することが、
前記複数のアンテナの各アンテナのためのアンテナＣＳＤ値を決定することと、
ユーザＣＳＤオフセットを決定することと、
前記決定されたユーザＣＳＤオフセットに基づいて、前記複数のアンテナの各アンテナのための前記アンテナＣＳＤ値を変更することと、
を備える、請求項５に記載の方法。
【請求項７】
ＣＳＤ値の前記第３のセットを前記決定することが、
少なくとも１つの割り当てられたＣＳＤ値を決定することと、
前記決定された少なくとも１つの割り当てられたＣＳＤ値に基づいて、前記複数のアンテナの各アンテナのためのアンテナＣＳＤ値を決定することと、
を備える、請求項５に記載の方法。
【請求項８】
ワイヤレス通信のための装置であって、
複数のアンテナ上で情報の第１のセットを送信するためのサイクリックシフト遅延（ＣＳＤ）値の第１のセットを決定するための手段と、ここにおいて、情報の前記第１のセットは、レガシープリアンブルであり、前記第１のセットの前記ＣＳＤ値は、互いに異なる、
前記複数のアンテナ上で情報の第２のセットを送信するためのＣＳＤ値の第２のセットを決定するための手段と、ここにおいて、情報の前記第２のセットは、非レガシープリアンブルであり、前記第２のセットの前記ＣＳＤ値は、互いに異なる、
ＣＳＤ値の前記第１のセットに基づいて情報の前記第１のセットを送信し、ＣＳＤ値の前記第２のセットに基づいて情報の前記第２のセットを送信するための手段と、
を備える、装置。
【請求項９】
ＣＳＤ値の前記第１のセットを決定するための前記手段が、
前記複数のアンテナの各アンテナのためのアンテナＣＳＤ値を決定することと、
ユーザＣＳＤオフセットを決定することと、
前記決定されたユーザＣＳＤオフセットに基づいて、前記複数のアンテナの各アンテナのための前記アンテナＣＳＤ値を変更することと、
を行うように構成される、請求項８に記載の装置。
【請求項１０】
ＣＳＤ値の前記第１のセットを決定するための前記手段が、
ストリームの割り当てられた数に基づいて、少なくとも１つの割り当てられたＣＳＤ値を決定することと、
前記決定された少なくとも１つの割り当てられたアンテナＣＳＤ値に基づいて、前記複数のアンテナの各アンテナのためのアンテナＣＳＤ値を決定することと、
を行うように構成される、請求項８に記載の装置。
【請求項１１】
ＣＳＤ値の前記第２のセットを決定するための前記手段が、
情報の前記第２のセットを送信するための複数のストリームを識別することと、
前記複数のストリームの各ストリームのためのストリームＣＳＤ値を決定することと、
を行うように構成される、請求項８に記載の装置。
【請求項１２】
前記複数のアンテナ上で情報の前記第２のセットを送信するためのＣＳＤ値の第３のセットを決定するための手段をさらに備え、
ここにおいて、情報の前記第２のセットを送信することが、ＣＳＤ値の前記第２のセットと前記第３のセットとに基づく、
請求項８に記載の装置。
【請求項１３】
ＣＳＤ値の前記第３のセットを決定するための前記手段が、
前記複数のアンテナの各アンテナのためのアンテナＣＳＤ値を決定することと、
ユーザＣＳＤオフセットを決定することと、
前記決定されたユーザＣＳＤオフセットに基づいて、前記複数のアンテナの各アンテナのための前記アンテナＣＳＤ値を変更することと、
を行うように構成される、請求項１２に記載の装置。
【請求項１４】
ＣＳＤ値の前記第３のセットを決定するための前記手段が、
少なくとも１つの割り当てられたＣＳＤ値を決定することと、
前記決定された少なくとも１つの割り当てられたＣＳＤ値に基づいて、前記複数のアンテナの各アンテナのためのアンテナＣＳＤ値を決定することと、
を行うように構成される、請求項１２に記載の装置。
【請求項１５】
実行されるとき、請求項１−７のうちのいずれかに記載の方法をコンピュータに実行させるコンピュータ実行可能コードを記憶するコンピュータ可読媒体。
【手続補正２】
【補正対象書類名】明細書
【補正対象項目名】００７９
【補正方法】変更
【補正の内容】
【００７９】
[0085]以上の説明は、当業者が本明細書で説明された様々な態様を実施することができるようにするために提供されたものである。これらの態様への様々な変更は当業者には容易に明らかであり、本明細書で定義された一般的原理は他の態様に適用され得る。したがって、特許請求の範囲は、本明細書に示された態様に限定されることを意図されるものではなく、クレーム文言に矛盾しない全範囲を与えられるべきであり、ここにおいて、単数形の要素への言及は、特にそのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明された様々な態様の要素のすべての構造的および機能的等価物は、参照により本明細書に明確に組み込まれ、特許請求の範囲に包含されることを意図されるものである。その上、本明細書で開示されたいかなることも、そのような開示が特許請求の範囲に明示的に具陳されているかどうかにかかわらず、公に供するものではない。いかなるクレーム要素も、その要素が「ための手段」というフレーズを使用して明確に具陳されていない限り、または方法クレームの場合には、その要素が「ためのステップ」というフレーズを使用して具陳されていない限り、米国特許法第１１２条（ｆ）の規定の下で解釈されるべきではない。
以下に本願発明の当初の特許請求の範囲に記載された発明を付記する。
［Ｃ１］
局のためのワイヤレス通信の方法であって、
複数のアンテナ上で情報の第１のセットを送信するためのサイクリックシフト遅延（ＣＳＤ）値の第１のセットを決定することと、
前記複数のアンテナ上で情報の第２のセットを送信するためのＣＳＤ値の第２のセットを決定することと、
ＣＳＤ値の前記第１のセットに基づいて情報の前記第１のセットを送信し、ＣＳＤ値の前記第２のセットに基づいて情報の前記第２のセットを送信することと、
を備える、方法。
［Ｃ２］
ＣＳＤ値の前記第１のセットを前記決定することが、
前記複数のアンテナの各アンテナのためのアンテナＣＳＤ値を決定することと、
ユーザＣＳＤオフセットを決定することと、
前記決定されたユーザＣＳＤオフセットに基づいて、前記複数のアンテナの各アンテナのための前記アンテナＣＳＤ値を変更することと、
を備える、Ｃ１に記載の方法。
［Ｃ３］
ＣＳＤ値の前記第１のセットを前記決定することが、
ストリームの割り当てられた数に基づいて、少なくとも１つの割り当てられたＣＳＤ値を決定することと、
前記決定された少なくとも１つの割り当てられたアンテナＣＳＤ値に基づいて、前記複数のアンテナの各アンテナのためのアンテナＣＳＤ値を決定することと、
を備える、Ｃ１に記載の方法。
［Ｃ４］
ＣＳＤ値の前記第２のセットを前記決定することが、
情報の前記第２のセットを送信するための複数のストリームを識別することと、
前記複数のストリームの各ストリームのためのストリームＣＳＤ値を決定することと、
を備える、Ｃ１に記載の方法。
［Ｃ５］
４ｘ持続時間をもつシンボルのための前記ストリームＣＳＤ値が、１ｘ持続時間をもつ非レガシーシンボルのＣＳＤ値よりも４倍大きい、Ｃ４に記載の方法。
［Ｃ６］
前記複数のアンテナ上で情報の前記第２のセットを送信するためのＣＳＤ値の第３のセットを決定することをさらに備え、
ここにおいて、情報の前記第２のセットを送信することが、ＣＳＤ値の前記第２のセットと前記第３のセットとに基づく、
Ｃ１に記載の方法。
［Ｃ７］
ＣＳＤ値の前記第３のセットを前記決定することが、
前記複数のアンテナの各アンテナのためのアンテナＣＳＤ値を決定することと、
ユーザＣＳＤオフセットを決定することと、
前記決定されたユーザＣＳＤオフセットに基づいて、前記複数のアンテナの各アンテナのための前記アンテナＣＳＤ値を変更することと、
を備える、Ｃ６に記載の方法。
［Ｃ８］
４ｘ持続時間をもつシンボルのための前記アンテナＣＳＤ値が、１ｘ持続時間をもつ非レガシーシンボルのＣＳＤ値よりも４倍大きい、Ｃ７に記載の方法。
［Ｃ９］
ＣＳＤ値の前記第３のセットを前記決定することが、
少なくとも１つの割り当てられたＣＳＤ値を決定することと、
前記決定された少なくとも１つの割り当てられたＣＳＤ値に基づいて、前記複数のアンテナの各アンテナのためのアンテナＣＳＤ値を決定することと、
を備える、Ｃ６に記載の方法。
［Ｃ１０］
ワイヤレス通信のための装置であって、
複数のアンテナ上で情報の第１のセットを送信するためのサイクリックシフト遅延（ＣＳＤ）値の第１のセットを決定するための手段と、
前記複数のアンテナ上で情報の第２のセットを送信するためのＣＳＤ値の第２のセットを決定するための手段と、
ＣＳＤ値の前記第１のセットに基づいて情報の前記第１のセットを送信し、ＣＳＤ値の前記第２のセットに基づいて情報の前記第２のセットを送信するための手段と、
を備える、装置。
［Ｃ１１］
ＣＳＤ値の前記第１のセットを決定するための前記手段が、
前記複数のアンテナの各アンテナのためのアンテナＣＳＤ値を決定することと、
ユーザＣＳＤオフセットを決定することと、
前記決定されたユーザＣＳＤオフセットに基づいて、前記複数のアンテナの各アンテナのための前記アンテナＣＳＤ値を変更することと、
を行うように構成される、Ｃ１０に記載の装置。
［Ｃ１２］
ＣＳＤ値の前記第１のセットを決定するための前記手段が、
ストリームの割り当てられた数に基づいて、少なくとも１つの割り当てられたＣＳＤ値を決定することと、
前記決定された少なくとも１つの割り当てられたアンテナＣＳＤ値に基づいて、前記複数のアンテナの各アンテナのためのアンテナＣＳＤ値を決定することと、
を行うように構成される、Ｃ１０に記載の装置。
［Ｃ１３］
ＣＳＤ値の前記第２のセットを決定するための前記手段が、
情報の前記第２のセットを送信するための複数のストリームを識別することと、
前記複数のストリームの各ストリームのためのストリームＣＳＤ値を決定することと、
を行うように構成される、Ｃ１０に記載の装置。
［Ｃ１４］
４ｘ持続時間をもつシンボルのための前記ストリームＣＳＤ値が、１ｘ持続時間をもつ非レガシーシンボルのＣＳＤ値よりも４倍大きい、Ｃ１３に記載の装置。
［Ｃ１５］
前記複数のアンテナ上で情報の前記第２のセットを送信するためのＣＳＤ値の第３のセットを決定するための手段をさらに備え、
ここにおいて、情報の前記第２のセットを送信することが、ＣＳＤ値の前記第２のセットと前記第３のセットとに基づく、
Ｃ１０に記載の装置。
［Ｃ１６］
ＣＳＤ値の前記第３のセットを決定するための前記手段が、
前記複数のアンテナの各アンテナのためのアンテナＣＳＤ値を決定することと、
ユーザＣＳＤオフセットを決定することと、
前記決定されたユーザＣＳＤオフセットに基づいて、前記複数のアンテナの各アンテナのための前記アンテナＣＳＤ値を変更することと、
を行うように構成される、Ｃ１５に記載の装置。
［Ｃ１７］
４ｘ持続時間をもつシンボルのための前記アンテナＣＳＤ値が、１ｘ持続時間をもつ非レガシーシンボルのＣＳＤ値よりも４倍大きい、Ｃ１６に記載の装置。
［Ｃ１８］
ＣＳＤ値の前記第３のセットを決定するための前記手段が、
少なくとも１つの割り当てられたＣＳＤ値を決定することと、
前記決定された少なくとも１つの割り当てられたＣＳＤ値に基づいて、前記複数のアンテナの各アンテナのためのアンテナＣＳＤ値を決定することと、
を行うように構成される、Ｃ１５に記載の装置。
［Ｃ１９］
ワイヤレス通信のための装置であって、
メモリと、
前記メモリに結合され、
複数のアンテナ上で情報の第１のセットを送信するためのサイクリックシフト遅延（ＣＳＤ）値の第１のセットを決定することと、
前記複数のアンテナ上で情報の第２のセットを送信するためのＣＳＤ値の第２のセットを決定することと、
ＣＳＤ値の前記第１のセットに基づいて情報の前記第１のセットを送信し、ＣＳＤ値の前記第２のセットに基づいて情報の前記第２のセットを送信することと、
を行うように構成される、少なくとも１つのプロセッサと、
を備える、装置。
［Ｃ２０］
前記少なくとも１つのプロセッサが、
前記複数のアンテナの各アンテナのためのアンテナＣＳＤ値を決定することと、
ユーザＣＳＤオフセットを決定することと、
前記決定されたユーザＣＳＤオフセットに基づいて、前記複数のアンテナの各アンテナのための前記アンテナＣＳＤ値を変更することと、
によってＣＳＤ値の第１のセットを決定するように構成される、Ｃ１９に記載の装置。
［Ｃ２１］
前記少なくとも１つのプロセッサが、
ストリームの割り当てられた数に基づいて、少なくとも１つの割り当てられたＣＳＤ値を決定することと、
前記決定された少なくとも１つの割り当てられたアンテナＣＳＤ値に基づいて、前記複数のアンテナの各アンテナのためのアンテナＣＳＤ値を決定することと、
によってＣＳＤ値の前記第１のセットを決定するように構成される、Ｃ１９に記載の装置。
［Ｃ２２］
前記少なくとも１つのプロセッサが、
情報の前記第２のセットを送信するための複数のストリームを識別することと、
前記複数のストリームの各ストリームのためのストリームＣＳＤ値を決定することと、
によってＣＳＤ値の前記第２のセットを決定するように構成される、Ｃ１９に記載の装置。
［Ｃ２３］
４ｘ持続時間をもつシンボルのための前記ストリームＣＳＤ値が、１ｘ持続時間をもつ非レガシーシンボルのＣＳＤ値よりも４倍大きい、Ｃ２２に記載の装置。
［Ｃ２４］
前記少なくとも１つのプロセッサが、前記複数のアンテナ上で情報の前記第２のセットを送信するためのＣＳＤ値の第３のセットを決定するようにさらに構成され、ここにおいて、前記少なくとも１つのプロセッサが、ＣＳＤ値の前記第２のセットと前記第３のセットとに基づいて、情報の前記第２のセットを送信するように構成される、Ｃ１９に記載の装置。
［Ｃ２５］
前記少なくとも１つのプロセッサが、
前記複数のアンテナの各アンテナのためのアンテナＣＳＤ値を決定することと、
ユーザＣＳＤオフセットを決定することと、
前記決定されたユーザＣＳＤオフセットに基づいて、前記複数のアンテナの各アンテナのための前記アンテナＣＳＤ値を変更することと、
によってＣＳＤ値の前記第３のセットを決定するように構成される、Ｃ２４に記載の装置。
［Ｃ２６］
４ｘ持続時間をもつシンボルのための前記アンテナＣＳＤ値が、１ｘ持続時間をもつ非レガシーシンボルのＣＳＤ値よりも４倍大きい、Ｃ２５に記載の装置。
［Ｃ２７］
前記少なくとも１つのプロセッサが、
少なくとも１つの割り当てられたＣＳＤ値を決定することと、
前記決定された少なくとも１つの割り当てられたＣＳＤ値に基づいて、前記複数のアンテナの各アンテナのためのアンテナＣＳＤ値を決定することと、
によってＣＳＤ値の前記第３のセットを決定するように構成される、Ｃ２４に記載の装置。
［Ｃ２８］
ワイヤレスデバイスによるワイヤレス通信のためのコンピュータ実行可能コードを記憶するコンピュータ可読媒体であって、
複数のアンテナ上で情報の第１のセットを送信するためのサイクリックシフト遅延（ＣＳＤ）値の第１のセットを決定することと、
前記複数のアンテナ上で情報の第２のセットを送信するためのＣＳＤ値の第２のセットを決定することと、
ＣＳＤ値の前記第１のセットに基づいて情報の前記第１のセットを送信し、ＣＳＤ値の前記第２のセットに基づいて情報の前記第２のセットを送信することと、
を行うためのコードを備える、コンピュータ可読媒体。
［Ｃ２９］
ＣＳＤ値の前記第１のセットを決定するための前記コードが、
前記複数のアンテナの各アンテナのためのアンテナＣＳＤ値を決定することと、
ユーザＣＳＤオフセットを決定することと、
前記決定されたユーザＣＳＤオフセットに基づいて、前記複数のアンテナの各アンテナのための前記アンテナＣＳＤ値を変更することと、
を行うためのコードを備える、Ｃ２８に記載のコンピュータ可読媒体。
［Ｃ３０］
ＣＳＤ値の前記第１のセットを決定するための前記コードが、
ストリームの割り当てられた数に基づいて、少なくとも１つの割り当てられたＣＳＤ値を決定することと、
前記決定された少なくとも１つの割り当てられたアンテナＣＳＤ値に基づいて、前記複数のアンテナの各アンテナのためのアンテナＣＳＤ値を決定することと、
を行うためのコードを備える、Ｃ２８に記載のコンピュータ可読媒体。